【手続補正書】
【提出日】令和3年6月7日(2021.6.7)
【手続補正１】
【補正対象書類名】特許請求の範囲
【補正対象項目名】全文
【補正方法】変更
【補正の内容】
【特許請求の範囲】
【請求項１】
フォーカスレンズを有し、前記フォーカスレンズの位置を至近端から望遠端の間の第一範囲で移動することによって合焦位置が調整されるレンズユニットと通信する通信手段と、
前記通信手段を介して、前記レンズユニットが無限遠に合焦する前記フォーカスレンズの位置と、前記位置から前記フォーカスレンズの前記望遠端との間の範囲の大きさを示す第一情報を取得する取得手段と、
前記第一情報に基づいて、前記フォーカスレンズの前記第一範囲のうち第二範囲を識別可能に表示手段に表示する制御手段と、
を有することを特徴とする電子機器。
【請求項２】
前記取得手段は、前記レンズユニットが撮影可能な距離範囲に含まれる複数の距離にそれぞれ対応する前記フォーカスレンズの複数の位置を示す第二情報を取得し、
前記制御手段は、前記第一範囲に対応する長さを有する画像を前記表示手段に表示し、前記第二情報に基づいて、前記複数の距離の各々に対応する指標画像を、前記画像の近傍、かつ各距離に対応する位置に表示することを特徴とする請求項１に記載の電子機器。
【請求項３】
前記制御手段は、前記画像のうち、前記第二範囲に対応する領域の表示形態を、他の領域の表示形態と異ならせることを特徴とする請求項２に記載の電子機器。
【請求項４】
前記取得手段は、前記フォーカスレンズの位置を示す第三情報をさらに取得し、
前記制御手段は、前記第三情報に基づいて、前記フォーカスレンズの位置に対応する撮影距離を示す指標を、前記画像とともに表示することを特徴とする請求項２または３に記載の電子機器。
【請求項５】
前記制御手段は、前記レンズユニットを用いて撮影されたライブビュー画像とともに前記画像を表示することを特徴とする請求項２乃至４のいずれか1項に記載の電子機器。
【請求項６】
前記レンズユニットを装着可能な装着手段をさらに備えることを特徴とする請求項１乃至５のいずれか1項に記載の電子機器。
【請求項７】
前記装着手段に前記レンズユニットを装着されたことを検知する第１の検知手段をさらに有し、
前記取得手段は、前記レンズユニットを装着されたことが検知されたことに応じて、前記第一情報を取得することを特徴とする請求項６に記載の電子機器。
【請求項８】
前記装着手段から前記レンズユニットが外されたことを検知する第２の検知手段をさらに有し、
前記制御手段は、前記レンズユニットが外されたことが検知されたことに応じて、前記第一範囲に対応する長さを有する画像を前記表示手段に表示しないように制御することを特徴とする請求項６または７に記載の電子機器。
【請求項９】
前記通信手段は、前記レンズユニットを装着可能な撮像装置と通信可能であることを特徴とする請求項１乃至８のいずれか1項に記載の電子機器。
【請求項１０】
前記レンズユニットを介して入射した光によって画像データを生成する撮像センサを備えることを特徴とする請求項１乃至８のいずれか1項に記載の電子機器。
【請求項１１】
フォーカスレンズを有し、前記フォーカスレンズの位置を至近端から望遠端の間の第一範囲で移動することによって合焦位置が調整されるレンズユニットと通信する通信手段を有する電子機器の制御方法であって、
取得手段が、前記通信手段を介して、前記レンズユニットが無限遠に合焦する前記フォーカスレンズの位置と、前記位置から前記フォーカスレンズの前記望遠端との間の範囲の大きさを示す第一情報を取得する取得工程と、
制御手段が、前記第一情報に基づいて、前記フォーカスレンズの前記第一範囲のうち第二範囲を識別可能に表示手段に表示する制御工程と、
を有することを特徴とする電子機器の制御方法。
【請求項１２】
コンピュータを、請求項１から１０のいずれか１項に記載の電子機器の各手段として機能させるためのプログラム。
【手続補正２】
【補正対象書類名】明細書
【補正対象項目名】０００７
【補正方法】変更
【補正の内容】
【０００７】
上述の目的は、フォーカスレンズを有し、フォーカスレンズの位置を至近端から望遠端の間の第一範囲で移動することによって合焦位置が調整されるレンズユニットと通信する通信手段と、通信手段を介して、レンズユニットが無限遠に合焦するフォーカスレンズの位置と、位置からフォーカスレンズの望遠端との間の範囲の大きさを示す第一情報を取得する取得手段と、第一情報に基づいて、フォーカスレンズの第一範囲のうち第二範囲を識別可能に表示手段に表示する制御手段と、を有することを特徴とする電子機器によって達成される。
【手続補正３】
【補正対象書類名】明細書
【補正対象項目名】００５０
【補正方法】変更
【補正の内容】
【００５０】
３０５〜３１３は、本実施形態における撮影距離バーを構成する要素である。
撮影距離バーの本体３０５は横長の矩形状を有し、本実施形態では横方向に５００画素の大きさを有する。本体３０５は、装着されたレンズユニット１５０で撮影可能な距離範囲（フォーカスレンズの可動範囲）と、レンズユニット１５０が無限遠に合焦するフォーカスレンズの位置との関係を示すことができる。また、レンズユニット１５０のオートフォーカス可能な距離範囲が制限されている場合、本体３０５は、撮影可能な距離範囲とオートフォーカス可能な距離範囲との関係を示すことができる。具体例については後述する。
【手続補正４】
【補正対象書類名】明細書
【補正対象項目名】００７９
【補正方法】変更
【補正の内容】
【００７９】
Ｓ５１５でシステム制御部５０は、アイコン３１３の色をグレーにしたのち、処理をＳ５０８に進める。これにより図１０を用いて後述するように、ＭＦモードにおいてフォーカスリング７をそれ以上近距離方向に回転させても合焦距離が変わらないことをユーザに報知する。
【手続補正５】
【補正対象書類名】明細書
【補正対象項目名】００８０
【補正方法】変更
【補正の内容】
【００８０】
Ｓ５１６でシステム制御部５０は、アイコン３１２の色をグレーにしたのち、処理をＳ５０８に進める。これにより図１０を用いて後述するように、ＭＦモードにおいてフォーカスリング７をそれ以上遠距離方向に回転させても合焦距離が変わらないことをユーザに報知する。なお、Ｓ５１５、Ｓ５１６ではアイコン３１２および３１３の色をグレーにしたが、点滅させたり、赤や黄色といった警告をイメージさせる色にしたりするなど、他の表示形態としてもよい。また、フォーカスリング７に触感フィードバック機能がある場合には、アイコン３１２、３１３の表示形態を変更する代わりに、あるいは表示形態の変更とともに、フォーカスリング７の触感フィードバックを与えてもよい。
【手続補正６】
【補正対象書類名】明細書
【補正対象項目名】００８５
【補正方法】変更
【補正の内容】
【００８５】
Ｓ６０５でシステム制御部５０は、単位がメートルの場合の、ＡＦ不能な距離範囲３１０の表示位置を算出する。例えば、レンズ動的情報の単位がメートルであり、ＡＦ不能な距離範囲が０から４０である場合、撮影距離バーの全長５００画素を１００として左端から４０％分（２００画素分）がＡＦ不能な距離範囲の表示位置である。なお、ＡＦ不能な距離範囲は無限遠側にも存在してよい。なお、表示位置の始点および終点が同一である場合は、表示不要であるため、表示位置を算出しない。Ｓ６０５は、ＡＦ不能な距離範囲がない場合には実行しなくてよい。
【手続補正７】
【補正対象書類名】明細書
【補正対象項目名】００９９
【補正方法】変更
【補正の内容】
【００９９】
図９は、レンズユニット１５０が設定スイッチ５としてマクロモードスイッチを有する場合の撮影距離バーの表示例を示している。ここではフォーカス可能な距離範囲が、「マクロモードスイッチがオフ（通常モード）」の状態では０．１ｍから無限遠であり、「マクロモードスイッチがオン（マクロモード）」の状態では０．０９ｍから０．１５ｍであるものとする。
【手続補正８】
【補正対象書類名】図面
【補正対象項目名】図２
【補正方法】変更
【補正の内容】
【図２】
2019219584.tif 000001
【手続補正９】
【補正対象書類名】図面
【補正対象項目名】図６
【補正方法】変更
【補正の内容】
【図６】
2019219584.tif 000002
【手続補正１０】
【補正対象書類名】図面
【補正対象項目名】図１２
【補正方法】変更
【補正の内容】
【図１２】
2019219584.tif 000003